(57)【特許請求の範囲】
【請求項１】
保形ホース本体の表面の一部又は全部を、前記保形ホース本体に消火用水が充満した状態での重量により座屈しない程度の強度を有すると共に保形ホースの表面に滑り摩擦が発生する際に繊毛運動的な状態となるブラシ状の植毛で覆ったことを特徴とする消火用保形ホース。
【請求項２】
請求項１記載の消火用保形ホースに於いて、前記保形ホース本体の表面をブラシ状の植毛で螺旋状に覆ったことを特徴とする消火用保形ホース。
【請求項３】
請求項１又は２記載の消火用保形ホースに於いて、前記保形ホース本体の表面の一部又は全部をブラシ状に植毛された樹脂又は布で覆ったことを特徴とする消火用保形ホース。
【請求項４】
請求項１乃至３のいずれかに記載の消火用保形ホースに於いて、前記ブラシ状の植毛は先端がカットされた糸状であることを特徴とする消火用保形ホース。
【請求項５】
請求項１乃至３のいずれかに記載の消火用保形ホースに於いて、前記ブラシ状の植毛はループ状であることを特徴とする消火用保形ホース。
【請求項６】
請求項１乃至５のいずれかに記載の消火用保形ホースに於いて、前記保形ホース本体の表面に前記ブラシ状に植毛されたテープ状の素材を接着したことを特徴とする消火用保形ホース。
【請求項７】
請求項１乃至６のいずれかに記載の消火用保形ホースに於いて、前記消火用保形ホースは消火栓用であることを特徴とする消火用保形ホース。
【発明の詳細な説明】
【０００１】
【発明の属する技術分野】
本発明は、トンネル等に設置された消火栓装置で使用される消火用保形ホースに関する。
【０００２】
【従来の技術】
従来、この種の消火用保形ホースとしては、例えば第５図に示すものがある。
この従来の保形ホース１００は、ホース本体１０１をたて糸とよこ糸を織成した筒状のジャケットの内側および外側をゴム材で被覆して構成し、更に保形ホース本体１０１の外側に摩擦を低減するためのポリエステル織布等の低摩擦被覆１０２を覆った構造であり、ゴムで覆われた保形ホースに比べ抵抗を少くしている。
【０００３】
【発明が解決しようとする課題】
しかしながら、このような従来の消火用保形ホースにあっては、例えば数十メートル程度とホースを非常に長く引き出して放水する場合、ホース自体の重量と内部の消火液の重量がかかるため、地面との摩擦力が増大して大きな引出し力が必要であり、ノズルを思うような位置に速やかに持ってゆくことができなかった。
【０００４】
また、ゴム材を発泡ゴムにするなどしてホースの軽量化を行なったり、またホースを低摩擦の素材で覆う工夫もなされているが、数十メートル程度というように非常に長くホースを引き出した場合にあっては、ホース内の水の重量が大きくなることと摩擦係数の限界等により依然として相当な引き出し力が必要であるという問題点があった。
【０００５】
本発明は、ホース引出し力を大幅に低減する構造を備えた消火用保形ホースを提供することを目的とする。
【０００６】
【課題を解決するための手段】
この目的を達成するため本発明の消火用保形ホースは、保形ホース本体の表面の一部又は全部をブラシ状の植毛で覆うようにしたことを特徴とする。このように本発明は、保形ホースの外表面の全部又は一部をブラシ状に植毛した素材で覆うようにしたことで、引出し時のホースの滑り運動を繊毛運動的な動きとすることで引出し力を低減し、長いホースであっても小さな力で引き出して移動することができ、また長く引き出したホースを小さな力で収納することができる。
【０００７】
本発明の消火用保形ホースは、保形ホース本体の表面のブラシ状の植毛で螺旋状に覆うようにしてもよい。また本発明の消火用保形ホースは、保形ホース本体の表面の一部又は全部をブラシ状に植毛された樹脂又は布で覆うようにしてもよい。
【０００８】
消火用保形ホースに使用するブラシ状の植毛は先端がカットされた糸状、或いはループ状とする。更に、ブラシ状の植毛は、保形ホース本体に消火用水が充満した状態での重量により座屈しない程度の強度を有する。更に消火用保形ホースは消火栓用であることを主な用途とする。
【０００９】
【発明の実施の形態】
図１は本発明による消火用保形ホースの実施形態の断面図である。図１において、本発明の保形ホース１は、たて糸３と横糸４を織成した筒状のジャケットの内側及び外側を覆ってゴム層５を設けることで保形ホース本体２を形成している。この実施例では、保形ホース本体２の表面の全部を覆って外側にブラシ状に糸状植毛７ａを起立させた植毛樹脂層６を設けている。
【００１０】
糸状植毛７ａを起立させた植毛樹脂層６は、例えば合成繊維をネット状に織成し同時に先端をカットした糸状植毛を起立させ、その後に樹脂を含浸させたテープ状の素材として予め準備し、保形ホース本体２の完成後にその表面の全部を覆うように螺旋状に巻き付けながら接着等により固定する。勿論、ブラシ状に糸状植毛７ａを設けたシート状の素材であれば、適宜のものを使用することができる。
【００１１】
また植毛樹脂層６から起立させたブラシ状の糸状植毛７ａは、消火用水が充満した状態での保形ホース本体１の重量を受けても座屈しない程度の強度を持たせている。
【００１２】
図２は本発明の消火用保形ホースが使用される消火栓装置の一例である。この消火栓装置にあっては、トンネル壁面等に設置されたキャビネットケース１０の扉１１内に、ノズル１２付きの本発明の保形ホース１をホースリール１４に巻いた状態で収納している。
【００１３】
火災時には、図示のように扉１１を開くことで扉内側に設置しているホースリール１４がキャビネットケース１０の前に露出し、ノズル１２の部分を持って保形ホース１を引き出す。
【００１４】
このようにホースリール１４から本発明の保形ホース１を引き出して行く場合、ホース表面と路面との間に滑り摩擦が発生するが、本発明の保形ホース１は図１のように表面に設けたブラシ状の植毛の先端が路面と接触しながら移動することで、いわゆる繊毛運動的な状態となり、従来のホース表面が直接路面に接触する場合の滑り摩擦に比べ、非常に小さな力で引き出すことができる。
【００１５】
また消火後に使用したホースをホースリール１４に巻き取って収納する場合にも、同様に非常に小さな力で収納することができる。
【００１６】
更に、トンネルにあっては図２のような消火栓装置１０を例えば５０メートル間隔で設置しており、この場合に必要なホースの長さは左右３０メートルとなる。このようなトンネルの消火栓装置１０に本発明の保形ホース１を使用した場合、従来の保形ホースを３０メートルまで引き出すと同じ力によって、本発明の保形ホース１であれば例えば４０メートルというように長く引き出すことができる。
【００１７】
このためトンネル内の消火栓装置１０の設置間隔は、本発明の保形ホース１を使用したことで、例えば６０メートルに拡大でき、その結果、トンネル内に設置する消火栓装置の台数を低減して設備コストを低減し、維持管理を容易にすることができる。
【００１８】
図３は本発明による消火用保形ホース１の他の実施形態であり、この実施形態にあっては、保形ホース本体２の表面の全部を覆って外側にブラシ状にループ状植毛７ｂを起立させた植毛樹脂層６を設けたことを特徴とする。このループ状植毛７ｂは図１の糸状植毛７に比べ同じ太さであれば剛性が高く、そのため植毛の密度を下げることができる。これ以外の構成は図１の実施形態と同じになる。
【００１９】
勿論、本発明の保形ホース１に設ける植毛の形状は、糸状やループ状以外に適宜の形状をとることができる。
【００２０】
図４は本発明の他の実施形態であり、この実施形態にあっては、保形ホース本体１の表面の一部をブラシ状の植毛７で覆ったものであり、且つ、ブラシ状の植毛７で螺旋状に覆ったことを特徴とする。この植毛７の具体例としては、図１の糸状植毛７ａを起立した植毛樹脂層６を螺旋状に巻き付けたもの、或いは図３のループ状植毛７ｂを起立した植毛樹脂層６を螺旋状に巻き付けたものである。
【００２１】
このように植毛７を保形ホース本体１の表面に螺旋状に設けることで、表面の全部に設けた場合に比べ製造コストを下げることができる。また植毛７が部分的に分かれて路面と接触することで、路面に落ちている砂塵や小石等が保形ホース本体１の露出部分に溜まり、植毛７の中に入って滑り摩擦抵抗を生じさせることが少ない。
【００２２】
このように保形ホース１の表面の一部に植毛７を設ける実施例としては、図４の植毛７を螺旋状に設ける以外に、リング状、長手方向に複数本に別けて設けるスリット状など適宜の部分的な植毛の形成を含む。
【００２３】
尚、上記の実施形態はトンネル用消火栓装置に本発明のブラシ状の植毛を表面に設けた保形ホースを使用する場合を例にとるものであったが、保形ホースを引き出す地面がトンネル路面のように比較的滑らかで、ホースの移動に対し繊毛運動的な状態が得られる場所であれば、任意の設備や場所の消火栓、更には消火栓以外の保形ホースを引き出して使用する場合にそのまま適用できる。
【００２４】
また本発明は、その利点と特徴を損わない任意の変形を含み、更に上記の実施例に示した数値による限定は受けない。更に上記の実施形態は樹脂材の植毛を使用しているが、これに限らず、ブラシ状の植毛であれば布材であっても良い。
【００２５】
【発明の効果】
以上説明してきたように、本発明によれば、保形ホース本体の表面の一部又は全部をブラシ状の植毛で覆ったことで、ホースを引出す際の滑り運動を繊毛運動的な動きとすることで引き出し力が低減し、長いホースであっても小さな力で引き出し、また同じ引出し力であってもホースを長く引き出すことができる。勿論、長く引き出したホースの収納についても、小さな力で収納することができる。
【図面の簡単な説明】
【図１】植毛を全面に設けた本発明の実施形態の断面図
【図２】本発明の保形ホースを用いたトンネル用の消火栓装置の説明図
【図３】ループ状の植毛を設けた本発明の実施形態の断面図
【図４】保形ホース本体の表面の植毛を螺旋状に設けた本発明の他の実施形態の説明図
【図５】従来の保形ホースの説明図
【符号の説明】
１：保形ホース
２：保形ホース本体
３：たて糸
４：よこ糸
５：ゴム層
６：植毛樹脂層
７：植毛
７ａ：糸状植毛
７ｂ：ループ状植毛
【図１】
0004567150.tif 000002
【図２】
0004567150.tif 000003
【図３】
0004567150.tif 000004
【図４】
0004567150.tif 000005
【図５】
0004567150.tif 000006